(57)【要約】【課題】芳香発生装置がなくとも画像に合った芳香を発生させることにより、手軽に芳香付き画像を再生して鑑賞できる芳香定着装置及び芳香定着システムを提供すること。【解決手段】画像入力部１１を介して画像データが入力されると、画像認識部１２において画像認識が行われ、この画像の認識結果に基づいて芳香選択部１３において芳香の種類が選択される。芳香選択部１３で選択された芳香の種類に基づいて、芳香供給部１４に芳香成分を含むマイクロカプセルが供給され、芳香定着部１６において、写真に芳香が定着される。この後、芳香付き写真が写真出力部１７から出力される。【選択図】図１
2006106203.tif 000002
【特許請求の範囲】
【請求項１】
画像データを入力するための画像入力部と、
前記画像入力部を介して入力された画像データの画像認識を行う画像認識部と、
前記画像認識部による画像認識の結果に基づいて芳香の種類を選択する芳香選択部と、
前記画像入力部を介して入力された画像データを担持する媒体に対し、前記芳香選択部により選択された芳香を定着させる芳香定着部と、
前記芳香定着部により芳香が定着された媒体を出力する媒体出力部と、
を具備することを特徴とする芳香定着装置。
【請求項２】
複数の芳香成分が格納された芳香供給カートリッジと、
前記芳香選択部により選択された芳香に対応する芳香成分を、前記芳香供給カートリッジから選択して前記芳香定着部に供給する芳香供給部と、
を更に具備することを特徴とする請求項１に記載の芳香定着装置。
【請求項３】
前記芳香供給カートリッジは、芳香成分ごとに着脱可能な複数の芳香供給カートリッジを含むことを特徴とする請求項２に記載の芳香定着装置。
【請求項４】
前記芳香の種類を選択するための操作信号を入力する芳香選択操作部を更に具備し、
前記芳香選択部は、前記芳香選択操作部から入力された操作信号に基づいて、前記芳香の種類を選択することを更に行うことを特徴とする請求項１に記載の芳香定着装置。
【請求項５】
前記芳香供給カートリッジは、前記複数の芳香成分をマイクロカプセルとして保持することを特徴とする請求項２に記載の芳香定着装置。
【請求項６】
前記芳香供給部は、前記芳香成分を前記芳香定着部に供給する際に、前記芳香供給カートリッジの複数の芳香成分を選択的に混合して供給することを特徴とする請求項２に記載の芳香定着装置。
【請求項７】
前記芳香定着部に対して、芳香を定着させるための媒体を供給する媒体供給部を更に具備することを特徴とする請求項１に記載の芳香定着装置。
【請求項８】
被写体を撮像して画像データを取得する撮像装置に対して、この撮像装置で撮像して取得された画像データを前記画像入力部に入力自在に着脱するための着脱部を更に具備することを特徴とする請求項１に記載の芳香定着装置。
【請求項９】
被写体を撮像して画像データを取得して外部に出力する撮像部と、前記撮像部で取得された画像データを担持する媒体に対して芳香を定着させるための芳香制御信号を生成して外部に出力する芳香制御信号生成部と、を具備する撮像装置と、
前記撮像部から出力された画像データを入力するための画像入力部と、前記芳香制御信号生成部から出力された芳香制御信号に基づいて芳香の種類を選択する芳香選択部と、前記画像入力部を介して入力された画像データを担持する媒体に対し、前記芳香選択部により選択された芳香を定着させる芳香定着部と、前記芳香定着部により芳香が定着された媒体を出力する媒体出力部と、を具備する芳香定着装置と、
を有することを特徴とする芳香定着システム。
【発明の詳細な説明】
【技術分野】
【０００１】
本発明は、写真などの媒体に芳香を定着させるための芳香定着装置及び芳香定着システムに関する。
【背景技術】
【０００２】
特許文献１には、芳香を記録可能なデジタルカメラ及び芳香再生装置が提案されている。この特許文献１の提案においては、撮影時に選択されたモードに基づいて所定の芳香情報が読み出され、この読み出された芳香情報が画像データに対応付けられて記録媒体に記録される。また、画像の再生時には、複数種類の芳香成分の組み合わせにより、芳香情報に基づく芳香の再生が行われる。
【特許文献１】特開２００３−２６４７３０号公報
【発明の開示】
【発明が解決しようとする課題】
【０００３】
ここで、特許文献１の提案では、芳香を発生させるときに専用の芳香再生装置が必要であるため手軽に芳香付き画像を鑑賞することができない。また、特許文献１の提案では、デジタルカメラと芳香発生装置とがそれぞれ独立しており、芳香付きの画像鑑賞時には、デジタルカメラやＰＣ等に芳香再生装置を接続する必要がある。
【０００４】
本発明は、上記の事情に鑑みてなされたもので、芳香発生装置がなくとも画像に合った芳香を発生させることにより、手軽に芳香付き画像を再生して鑑賞できる芳香定着装置及び芳香定着システムを提供することを目的とする。
【課題を解決するための手段】
【０００５】
上記の目的を達成するために、本発明の第１の態様による芳香定着装置は、画像データを入力するための画像入力部と、前記画像入力部を介して入力された画像データの画像認識を行う画像認識部と、前記画像認識部による画像認識の結果に基づいて芳香の種類を選択する芳香選択部と、前記画像入力部を介して入力された画像データを担持する媒体に対し、前記芳香選択部により選択された芳香を定着させる芳香定着部と、前記芳香定着部により芳香が定着された媒体を出力する媒体出力部とを具備することを特徴とする。
【０００６】
また、上記の目的を達成するために、本発明の第２の態様による芳香定着システムは、被写体を撮像して画像データを取得して外部に出力する撮像部と、前記撮像部で取得された画像データを担持する媒体に対して芳香を定着させるための芳香制御信号を生成して外部に出力する芳香制御信号生成部と、を具備する撮像装置と、前記撮像部から出力された画像データを入力するための画像入力部と、前記芳香制御信号生成部から出力された芳香制御信号に基づいて芳香の種類を選択する芳香選択部と、前記画像入力部を介して入力された画像データを担持する媒体に対し、前記芳香選択部により選択された芳香を定着させる芳香定着部と、前記芳香定着部により芳香が定着された媒体を出力する媒体出力部と、を具備する芳香定着装置とを有することを特徴とする。
【０００７】
これら第１及び第２の態様によれば、画像データを担持する媒体に対して芳香を定着させるようにしているので、画像の再生時に芳香定着装置が必要ない。
【発明の効果】
【０００８】
本発明によれば、芳香発生装置がなくとも画像に合った芳香を発生させることにより、手軽に芳香付き画像を再生して鑑賞できる芳香定着装置及び芳香定着システムを提供することができる。
【発明を実施するための最良の形態】
【０００９】
以下、図面を参照して本発明の実施形態を説明する。  
［第１の実施形態］
図１は、本発明の第１の実施形態に係る芳香定着装置の構成について示す図である。この図１の例は、撮影などによって得られた画像データから芳香付きの写真を得ることができる芳香定着装置である。
【００１０】
図１において、画像データは芳香定着装置１０の画像入力部１１に入力される。画像入力部１１を介して入力された画像データは画像認識部１２で画像認識される。画像認識部１２における画像認識の結果は、芳香選択部１３に送信される。画像認識部１２から送信された画像認識の結果に基づいて、芳香選択部１３では画像データを担持する媒体に定着させるべき芳香の種類が選択される。芳香選択部１３で選択された結果は、芳香選択信号として芳香供給部１４に送信される。芳香供給部１４では、芳香選択部１３からの芳香選択信号に基づいて、芳香供給カートリッジ１５の選択が行われる。これにより、芳香供給部１４から芳香成分が芳香定着部１６に供給される。
【００１１】
ここで、芳香供給カートリッジ１５は、芳香定着装置１０に対して着脱自在に構成されており、その内部には芳香成分を含んだマイクロカプセルが含まれている。ここで、芳香成分を含むマイクロカプセルは、爪や指などで破壊することにより、芳香を発生させたいときにだけ芳香を発生させることができる。芳香定着部１６にはこのマイクロカプセルが供給される。
【００１２】
また、芳香定着部１６にマイクロカプセルが供給されると、画像データを担持する媒体たる写真に芳香成分を含んだマイクロカプセルが定着される。その後、媒体出力部たる写真出力部１７から芳香付きの写真が出力される。
【００１３】
また、芳香選択操作部としての芳香選択スイッチ（ＳＷ）２０は、写真に定着させる芳香を利用者が手動で選択するための操作部材群である。また、芳香選択ＳＷ２０により、写真に芳香を定着させるか否か、本芳香定着装置１０により芳香を自動的に定着させるか否かも選択することができる。
【００１４】
図２は、第１の実施形態に係る芳香定着装置における芳香定着処理について示すフローチャートである。
【００１５】
ステップＳ２１では、芳香選択ＳＷ２０の状態により、写真に芳香を定着させるか否かが判定される。このステップＳ２１の判定において、芳香を定着させる場合（ステップＳ２１でＹＥＳ）には、ステップＳ２２へ処理が進む。一方、ステップＳ２１の判定において、芳香を定着させない場合（ステップＳ２１でＮＯ）には、ステップＳ２７へ処理が進む。
【００１６】
ステップＳ２２では、画像認識部１２における画像認識の結果、画像の認識が行えたか否かが判定される。このステップＳ２２の判定において、画像の認識が行えた場合（ステップＳ２２でＹＥＳ）には、ステップＳ２３へ処理が進む。一方、ステップＳ２２の判定において、画像の認識が行えなかった場合（ステップＳ２２でＮＯ）には、ステップＳ２５へ処理が進む。
【００１７】
ステップＳ２３では、芳香選択ＳＷ２０の状態により、画像認識された画像データに対応する芳香を自動で定着させるか否かが判定される。このステップＳ２３の判定において、芳香を自動で定着させる場合（ステップＳ２３でＹＥＳ）には、ステップＳ２４へ処理が進む。一方、ステップＳ２３の判定において、芳香を自動で定着させない場合（ステップＳ２３でＮＯ）には、ステップＳ２５へ処理が進む。
【００１８】
ステップＳ２４では、画像認識部１２における画像認識の結果に基づいて芳香選択部１３で芳香が選択される。また、ステップＳ２５では、利用者によって操作された芳香選択ＳＷ２０に状態に対応した芳香が選択される。これらステップＳ２４又はステップＳ２５の後、ステップＳ２６へ処理が進む。
【００１９】
ステップＳ２６では、選択された芳香に基づいて写真に芳香成分を含むマイクロカプセルが定着される。その後、ステップＳ２７では、写真が出力され、図２のフローチャートの処理が終了する。
【００２０】
以上説明したような第１の実施形態の構成により、芳香付きの写真の鑑賞を手軽に楽しむことができる。さらに、芳香供給部１４の芳香供給カートリッジ１５は芳香定着装置１０に対して着脱自在であるため、芳香供給カートリッジ１５内部の芳香成分を含むマイクロカプセルがなくなった場合にも、芳香供給カートリッジ１５を交換するだけで再び写真に芳香を定着させることができる。
【００２１】
また、画像認識部１２により、画像に合った所望の芳香を写真に定着させることができる。更に、画像認識部１２で画像の認識が行えなかった場合や利用者自身が所望の芳香を定着させたいような場合には、芳香選択ＳＷ２０により外部から直接入力して芳香を定着させることもできる。
【００２２】
［第２の実施形態］
次に、本発明の第２の実施形態について説明する。図３は、本発明の第２の実施形態について説明するための芳香供給部１４の構成例について示す図である。なお、これ以外の構成については第１の実施形態に準じるものである。
【００２３】
図３に示すように、第２の実施形態における芳香供給部１４の芳香供給カートリッジ１５には、芳香成分を含む複数のマイクロカプセル収納部３１（図では例として４つのマイクロカプセル収納部Ａ、Ｂ、Ｃ、Ｄを示している）が設けられている。これらのマイクロカプセル収納部３１に収納されたマイクロカプセルは、芳香選択信号に基づいて混合器３３によりそれぞれ混合することができるように構成されている。
【００２４】
以上説明したような第２の実施形態の構成により、芳香選択部１３から送られる芳香選択信号に基づき、マイクロカプセル収納部３１の４種類のマイクロカプセルを混合器３３で混合して所望の芳香を得ることができる。
【００２５】
また、第２の実施形態における芳香供給カートリッジ１５は、マイクロカプセル収納部３２（Ｅ，Ｆ）を増設することができる。ここで、増設できるマイクロカプセル収納部３２の数は、芳香供給カートリッジ１５に収まる範囲で利用者が任意に決めることができる。また、これに対応して混合器３３もマイクロカプセル収納部の増設分を考慮した数を予め設けておくようにしておくことが好ましい。
【００２６】
このようにマイクロカプセル収納部を増設可能とすることにより、更に芳香の表現範囲を広げることができる。ここで、マイクロカプセル収納部３２には、リラックス成分を芳香に含むマイクロカプセルを設置するようにしても良い。このようなリラックス成分を含むものとしては、例えば木の香りやハーブの香り、花の香りなどが挙げられる。
【００２７】
［第３の実施形態］
次に、本発明の第３の実施形態について説明する。図４は、本発明の第３の実施形態に係る芳香定着装置の構成図である。図４の例は、撮影などによって得られた芳香なし写真に芳香を定着させて芳香付きの写真を得ることができる芳香定着装置の例である。
【００２８】
図４において、芳香なし写真は、媒体入力部たる写真入力部１９を介して芳香定着装置１０に入力される。また、写真に関する芳香情報は芳香選択ＳＷ２０を介した外部入力により得られる。また、写真をスキャンして画像認識部１２における画像認識を行い、この画像認識の結果により芳香情報を得るようにしても良い。これらのいずれかの結果に応じて、芳香選択部１３から芳香供給部１４に芳香選択信号が送信される。この芳香選択信号に基づいて、芳香供給カートリッジ１５から芳香供給部１４に芳香成分を含んだマイクロカプセルが供給される。芳香定着部１６では、写真に芳香成分を含んだマイクロカプセルが定着され、得られた芳香付き写真が写真出力部１７から出力される。
【００２９】
図５は、写真出力部１７から出力される芳香付き写真の例である。ここで、芳香成分を含んだマイクロカプセルは、被写体５２の周囲における写真の余白部分５１に定着される。なお、第１の実施形態においてもマイクロカプセルは写真の余白部分に定着させるようにすることが好ましい。
【００３０】
以上説明したような第３の実施形態の構成により、写真に直接芳香を定着させることができる。また、図５のように、マイクロカプセルを写真の余白部分５１に定着させることにより、芳香を発生させる際に、被写体５２が撮影されている部分に汚れや傷が生じることも防ぐことができる。
【００３１】
［第４の実施形態］
次に、本発明の第４の実施形態について説明する。本発明の第４の実施形態は、芳香定着装置を撮像装置たるデジタルインスタントカメラに装着して使用する芳香定着システムである。
【００３２】
図６は、本発明の第４の実施形態に係る芳香定着装置１０とデジタルインスタントカメラ６０とを含む芳香定着システムの構成図である。図６において、芳香定着装置１０とデジタルインスタントカメラ６０とは、装着部１８を介して電気的に接続されている。このような構成において、デジタルインスタントカメラ６０における撮影によって得られた画像データは画像信号として、装着部１８を介して芳香定着装置１０に入力される。
【００３３】
なお、図６の芳香定着装置１０は、図１と同様の内部構成を有しているものとし、その詳細な説明については省略する。
【００３４】
図６において、デジタルインスタントカメラ６０の撮像部６１では、被写体像が画像データとして取り込まれて各種の画像処理が行われる。また、芳香制御信号生成部６２では、撮像部６１における撮影の後、芳香定着装置１０における芳香付き写真の出力を指示するための芳香制御信号が生成されて芳香定着装置１０に出力される。また、入力部６３は、利用者がデジタルインスタントカメラ６０を操作するための各種操作部材であり、例えばレリーズ指示を実行するためのレリーズ釦などが含まれる。
【００３５】
以上説明したような第４の実施形態の構成により、芳香定着装置をデジタルインスタントカメラと一体化することができ、撮影から芳香付き写真の出力までを連続して行わせることができる。
【００３６】
以上実施形態に基づいて本発明を説明したが、本発明は上記した実施形態に限定されるものではなく、本発明の要旨の範囲内で種々の変形や応用が可能なことは勿論である。
【００３７】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００３８】
【図１】本発明の第１の実施形態に係る芳香定着装置の構成について示す図である。
【図２】第１の実施形態に係る芳香定着装置における芳香定着処理について示すフローチャートである。
【図３】本発明の第２の実施形態について説明するための芳香供給部の構成例について示す図である。
【図４】本発明の第３の実施形態に係る芳香定着装置の構成図である。
【図５】写真出力部から出力される芳香付き写真の例である。
【図６】本発明の第４の実施形態に係る芳香定着装置とデジタルインスタントカメラとを含む芳香定着システムの構成図である。
【符号の説明】
【００３９】
１０…芳香定着装置、１１…画像入力部、１２…画像認識部、１３…芳香選択部、１４…芳香供給部、１５…芳香供給カートリッジ、１６…芳香定着部、１７…写真出力部、１８…装着部、１９…写真入力部、２０…芳香選択スイッチ（ＳＷ）、３１…マイクロカプセル収納部、３２…マイクロカプセル収納部、３３…混合器、６０…デジタルインスタントカメラ、６１…撮像部、６２…芳香制御信号生成部、６３…入力部
【図１】
2006106203.tif 000003
【図２】
2006106203.tif 000004
【図３】
2006106203.tif 000005
【図４】
2006106203.tif 000006
【図５】
2006106203.tif 000007
【図６】
2006106203.tif 000008